(57)【要約】      （修正有）【課題】散歩中の犬のすり抜け防止機能と引っ張り抑制機能を併せ持った犬用胴輪の提供。【解決手段】腹部ベルト３の両端には２本の胸部ベルト２の一端がそれぞれ結合し、２本の背部ベルト１の一端がそれぞれ結合しており、更に２本の背部ベルト１の他端には環状引き綱結合部４が結合され、胸部ベルト２の他端にも環状引き綱結合部４が結合する。引き綱と胴輪を結合する箇所を本体から分離させて輪状にしたことで、すり抜けと引っ張りを防止する効果があり、胴輪本体にクッション部を接合させると、引っ張りによる負荷を軽減し、且つ、サイズ調整が可能なため量産にも対応した犬用胴輪を得ることができる。【選択図】図１−１
2016154523.tif 000002
【特許請求の範囲】
【請求項１】
散歩中における犬のすり抜けを防止する犬用胴輪。
【請求項２】
犬の引っ張りを抑制し、安全かつ適正な方法で犬に散歩トレーニングを指導できる犬用胴輪。
【請求項３】
犬の身体に負荷が加わっても、クッション部が負荷を軽減し摩擦による怪我の防止や被毛の損傷を防ぐことが出来る犬用胴輪。
【発明の詳細な説明】
【技術分野】
【０００１】  この発明は、散歩中の犬のすり抜け防止機能と引っ張り抑制機能を併せ持ち、且つ犬の身体に負担の少ない犬用胴輪に関する。
【背景技術】
【０００２】  従来の犬用胴輪は、着用中の犬の抵抗や体勢により胴輪と犬の体に隙間が生じて、犬が容易にすり抜けられる構造である。また、引っ張り抑制機能の犬用胴輪は、着用している犬の身体に負担をかけ、摩擦による被毛の擦り切れや皮膚の怪我に繋がるものであった。
【発明の概要】
【発明が解決しようとする課題】
【０００３】  従来の技術によれば、犬の脱走や怪我等の事故で、飼育者も犬もお互いに負担になることがあった。この発明により、それらを大幅に軽減し、安全で快適な使用感を提供することが課題である。
【課題を解決するための手段】
【０００４】  第一発明は、胴輪と引き綱を結合する箇所にある。従来の胴輪は本体と一体となって引き綱との結合部が取り付けられている。そのため、引き綱を引っ張ると犬の身体と胴輪に隙間が生じて、そこから犬の体がすり抜けられる構造になっている。【０００５】  しかし、この発明は図２で示すように胴輪本体と引き綱結合箇所が一体となっておらず、引っ張り箇所が輪状になっている。【０００６】  この環状引き綱結合部を背部ベルトに施した場合、図３の符号５、符号６の矢印で示すように、環状引き綱結合箇所が引っ張られ、変形することにより胴輪本体が収縮する。【０００７】  即ち、図４の符号５、符号６が示す矢印方向に力が加わる。胴輪本体の収縮により、図５の符号５、符号６で示すように犬の身体の脇部分が締め付けられ、すり抜けを防止する。前進しようとすれば、胸部ベルトにより固定され、後退或いは左右へ移動しようとすれば前脚付け根部分が腹部ベルトに引っ掛かり、外すことが出来なくなる。【０００８】  或いは、この環状引き綱結合部を胸部ベルトに施した場合、図６の符号５、符号６で示すように前脚付根上が収縮することで前進出来なくなり、従来の引っ張り防止胴輪と同様の効果が得られる。【０００９】  この場合でも、犬の身体と胴環の隙間が無くなるため、犬が強く引き、後退や左右へ移動しても、腹部ベルトが前脚付根に引っ掛り、この胴環が犬の身体から外れない構造となる。【００１０】  更に、この構造で犬の身体への負担を軽減するために、本発明による犬用胴輪は、図７−１、図７−２のように胴輪本体にクッション部を接合することも可能である。【００１１】  環状引き綱結合部が強く引っ張られた際には、過度の力が犬の前脚付け根脇部分に加わることになるが、図８−１、図８−２で示すようにクッション部がその力を吸収し、且つ、本体素材が犬に直接触れないため、従来の一般に普及している胴環や、引っ張り抑制胴輪使用における摩擦による怪我を防止することが出来る。【００１２】  この環状引き綱結合部の引っ張りによって、胴輪本体の収縮と同時にクッション部も共に収縮するので、図９で示すように犬の身体と胴輪の隙間が埋り密着することで、胴輪本体のみの場合よりも、更にすり抜け防止効果が高まる。【００１３】  このクッション部は胴輪本体に完全に密着して縫合されているのではなく、図１０で示すように胴輪本体から独立した構造になっているため、胴輪本体のサイズ調整にも容易に適応する。【００１４】  この発明による胴輪は、この環状引き綱結合部を１本の胴輪に背部ベルトと胸部ベルトの２箇所に取り付けるか、或いは１箇所にのみ取り付けて、その部分を背部ベルトとするか胸部ベルトとするかを、希望する用途により装着場所を変えて使用し、同様の効果を得るかの２通りの使用方法がある。【００１５】  １本の胴輪本体に２箇所の結合部を取り付けたものが図１−１、図１−２になる。この場合、引き綱の結合箇所を変えるだけで、装着し直す手間無く、引き綱接合箇所を選択するだけで、高いすり抜け防止効果と引っ張り抑制効果を得ることが出来る。【００１６】  また、引っ張り抑制効果を求めるか、より高いすり抜け防止効果を求めるかの目的に応じ、結合部を１本の胴輪本体に１箇所のみ���取り付け、この部分を背部ベルトとするか胸部ベルトとするかを選択して使用するとなれば、胴輪本体を図１０−１、図１０−２のように、より簡素な構造にする事もできる。
【発明の効果】
【００１７】  以上の説明により、本発明においては、次に列挙する効果が得られる。【００１８】（１）散歩中、犬の体が胴輪からのすり抜ける事が防止できる。【００１９】（２）散歩中、犬の引っ張り抑制が安全且つ適正な方法で行われるため、トレーニング用胴輪として有効である。【００２０】（３）胴輪を強く引いても、クッション部を接合することにより、犬の身体への負担を大幅に軽減し、怪我や被毛の損傷を防ぐことが出来る。【００２１】（４）構造が簡潔でサイズ調整が可能なので、犬の成長や体型の変化に対応する事ができる。
【図面の簡単な説明】
【００２２】
【図１−１】  本発明の全体像を表した左斜視図
【図１−２】  本発明の全体像を表した右斜視図
【図２】  胴輪本体と環状引き綱結合部との取り合いを記載した詳細図
【図３】  環状の引き綱結合部を引っ張った時の力の伝わり方と形状の変化
【図４】  正面から見た環状引き綱結合部を引っ張った状態での加圧の方向と胴輪の収縮の説明図
【図５】  犬の体に装着した際、環状引き綱結合部を引っ張った時の力の方向を示す側面図
【図６】  環状引き綱結合部を胸部ベルトに施した場合の引っ張り抑制効果を表した図
【図７−１】  クッション部付本発明品の全体像を表した左斜視図
【図７−２】  クッション部付本発明品の全体像を表した右斜視図
【図８−１】  胸部ベルトの環状引き綱結合部を引いた時に加圧される前脚付根部分を示した図
【図８−２】  本発明品のクッション部が引っ張りによる負担を軽減していること表す部分図
【図９−１】  本体の収縮に伴うクッション部の収縮を表す図
【図９−２】  本体の収縮に伴うクッション部の収縮を表す図
【図１０】  胴輪本体とクッション部の此処の接合方法説明図
【図１１−１】  本発明品の環状引き綱結合部を背部ベルトとした場合の斜視図
【図１１−２】  クッション部付本発明品の環状引き綱結合部を背部ベルトとした場合の斜視図
【図１２−１】  本発明品の環状引き綱結合部を胸部ベルトとした場合の斜視図
【図１２−２】  クッション部付本発明品の環状引き綱結合部を胸部ベルトとした場合の斜視図
【符号の簡単な説明】
［符号１］  背部ベルト
［符号２］  胸部ベルト
［符号３］  腹部ベルト
［符号４］  環状引き綱結合部
［符号５］  環状引き綱結合部が引っ張られることにより変形する方向
［符号６］  引き綱結合部の変形により胴輪本体が収縮する方向
［符号７］  クッション部
［符号８］  図８−２を示す部分
［符号９］  犬の前脚
［符号１０］  犬の腹部
【産業上の利用可能性】
【００２３】  本発明は、犬以外の家畜哺乳動物の移動に応用できる。
【図１−１】
2016154523.tif 000003
【図１−２】
2016154523.tif 000004
【図２】
2016154523.tif 000005
【図３】
2016154523.tif 000006
【図４】
2016154523.tif 000007
【図５】
2016154523.tif 000008
【図６】
2016154523.tif 000009
【図７−１】
2016154523.tif 000010
【図７−２】
2016154523.tif 000011
【図８−１】
2016154523.tif 000012
【図８−２】
2016154523.tif 000013
【図９】
2016154523.tif 000014
【図１０】
2016154523.tif 000015
【図１１−１】
2016154523.tif 000016
【図１１−２】
2016154523.tif 000017
【図１２−１】
2016154523.tif 000018
【図１２−２】
2016154523.tif 000019
【手続補正書】
【提出日】平成27年4月6日(2015.4.6)
【手続補正１】
【補正対象書類名】明細書
【補正対象項目名】００２２
【補正方法】変更
【補正の内容】
【００２２】
【図１−１】  本発明の全体像を表した左斜視図
【図１−２】  本発明の全体像を表した右斜視図
【図２】  胴輪本体と環状引き綱結合部との取り合いを記載した詳細図
【図３】  環状の引き綱結合部を引っ張った時の力の伝わり方と形状の変化
【図４】  正面から見た環状引き綱結合部を引っ張った状態での加圧の方向と胴輪の収縮の説明図
【図５】  犬の体に装着した際、環状引き綱結合部を引っ張った時の力の方向を示す側面図
【図６】  環状引き綱結合部を胸部ベルトに施した場合の引っ張り抑制効果を表した図
【図７−１】  クッション部付本発明品の全体像を表した左斜視図
【図７−２】  クッション部付本発明品の全体像を表した右斜視図
【図８−１】  胸部ベルトの環状引き綱結合部を引いた時に加圧される前脚付根部分を示した図
【図８−２】  本発明品のクッション部が引っ張りによる負担を軽減していること表す部分図
【図９】  本体の収縮に伴うクッション部の収縮を表す図
【図１０】  胴輪本体とクッション部の此処の接合方法説明図
【図１１−１】  本発明品の環状引き綱結合部を背部ベルトとした場合の斜視図
【図１１−２】  クッション部付本発明品の環状引き綱結合部を背部ベルトとした場合の斜視図
【図１２−１】  本発明品の環状引き綱結合部を胸部ベルトとした場合の斜視図
【図１２−２】  クッション部付本発明品の環状引き綱結合部を胸部ベルトとした場合の斜視図